(57)【要約】【課題】複雑な構造を必要とすることなく、電池ケースを小さいスペースに収納することが可能で、電池ケースの収納構造の小型化、低コスト化を図る。【解決手段】加熱調理器の本体ケースの前面側に、奥行き方向の寸法Ｌ１が、電池ケース１の奥行き方向の寸法Ｌ２よりも短い電池ケース収納部５を設けるとともに、電池ケース１を、電池保持部１５と、本体ケースの前面の、電池ケース収納部の入口を覆う蓋部４と、本体ケースから引き出したときに電池ケースが電池ケース収納部から抜け落ちてしまうことを防止するための抜け止め部１６を備えた構成とする。  また、電池ケース収納部に、電池ケースを略水平に保つケース案内保持部を設けるとともに、電池ケースにレールと係合する係合溝を形成し、レールと係合溝を係合させ、電池ケースをレールに沿って往復動させる。【選択図】図６
2008016185.tif 000002
【特許請求の範囲】
【請求項１】
加熱調理器の本体ケースに、電池を保持する電池ケースを収納するための電池ケースの収納構造であって、
(ａ)前記本体ケースの前面側から、前記本体ケースに挿入される電池ケースを収容する、奥行き方向の寸法が、前記電池ケースの奥行き方向の寸法よりも短い電池ケース収納部を備え、かつ、
(ｂ)前記電池ケースが、電池を保持するための電池保持部と、前記電池ケース収納部の開口を覆う蓋部と、前記電池ケース収納部から抜け落ちることを防止するための抜止め部とを備えており、
前記電池ケースが前記電池ケース収納部に収納された状態で、前記電池ケース収納部の開口が前記蓋部により覆われ、かつ、前記電池ケースを前記電池ケース収納部から引き出したときに、前記抜け止め部により前記電池ケースが前記電池ケース収納部から抜け落ちないように構成されていること
を特徴とする電池ケースの収納構造。
【請求項２】
前記電池ケースの抜け止め部を、前記電池ケースの内側に弾性変形させることにより、前記電池ケース収納部と前記抜け止め部の係合を解除して、前記電池ケースを前記電池ケース収納部から抜き出すことができるように構成されていることを特徴とする請求項１記載の電池ケースの収納構造。
【請求項３】
(ａ)前記電池ケース収納部が、前記電池ケースを前記電池ケース収納部に収納し、あるいは前記電池ケース収納部から引き出す際に、前記電池ケースを略水平に保つことができるように、前記電池ケースの姿勢を規定するケース案内保持部を備えているとともに、
(ｂ)前記電池ケース収納部と前記電池ケースのいずれか一方には、前記電池ケースの収納および引き出し方向に平行なレールが配設され、他方には前記レールと係合する係合溝が形成されおり、前記レールと前記係合溝が係合することにより、前記電池ケースが、前記レールに沿って往復動するように構成されていること
を特徴とする請求項１または２記載の電池ケースの収納構造。
【請求項４】
前記電池ケースのほぼ全体が前記電池ケース収納部に収納されたときに、使用者がそのことを認識できるように、前記レールの外周面の、前記係合溝の内周面と対向する所定の領域、または、前記係合溝の内周面の、前記レールの外周面と対向する所定の領域に突出部を形成し、前記電池ケース収納部に前記電池ケースが押し込まれ、ほぼ全体が前記電池ケース収納部に収納されたときに、前記突出部が前記係合溝の内周面または前記レールの外周面に当接して、前記電池ケースの収納動作に抵抗が加わるように構成されていることを特徴とする請求項３記載の電池ケースの収納構造。
【請求項５】
前記電池ケースの前記電池ケース収納部への収納が終了したときに、使用者がそのことを認識できるように、前記電池ケースの前記電池ケース収納部への収納が終了した状態において、前記突出部が対向する前記係合溝の内周面または前記レールの外周面に、前記突出部を逃がす凹部が形成されており、前記電池ケースの前記電池ケース収納部への収納が終了したときに、前記突出部が前記凹部に入り込み、前記電池ケースの収納動作の抵抗感が解除されるかまたは減少するように構成されていることを特徴とする請求項４記載の電池ケースの収納構造。
【請求項６】
前記係合溝の側面に前記突出部が形成されており、前記突出部が形成された側面を構成する部材には、前記突出部が形成された側面に略平行に、前記突出部が形成された領域よりも長い、一対のスリット状貫通孔が形成されており、前記一対のスリット状貫通孔に挟まれた部分が、前記係合溝の側面を構成するとともに、該側面に前記突出部が形成されるブリッジ部となり、前記ブリッジ部が弾性変形することにより、前記電池ケースの収納動作に抵抗をもたらしつつ、前記電池ケースを円滑に移動させることができるように構成されていることを特徴とする請求項４または５記載の電池ケースの収納構造。
【請求項７】
前記電池ケース収納部が、前記加熱調理器の本体ケースの前面パネルと一体に形成されていることを特徴とする請求項１〜６のいずれかに記載の電池ケースの収納構造。
【発明の詳細な説明】
【技術分野】
【０００１】
電池ケースの収納構造に関し、詳しくは、ガスコンロなどの加熱調理器に電池ケースを収納するための電池ケースの収納構造に関する。
【背景技術】
【０００２】
従来のガスコンロ（加熱調理器）としては、点火装置などの電源として電池を使用するものが広く用いられている。
このようなガスコンロの１つに、図１１に示すようなテーブルガスコンロがある。
【０００３】
このテーブルガスコンロは、本体ケース５１に、電池ケース取り付け台５３を介して、電池を保持させた電池ケース５２を収納することができるように構成されている。なお、図１２(ａ)は電池ケース５２を示す平面図、図１２(ｂ)は側面断面図、図１３(ａ)は電池ケース取り付け台５３を示す平面図、図１３(ｂ)は側面断面図である。
すなわち、このテーブルコンロにおいては、本体ケース５１の前面パネル５４に筒状の電池ケース取り付け台５３が設けられている。
【０００４】
そして、この筒状の電池ケース取り付け台５３に、電池（図示せず）を収納した電池ケース５２が挿入、保持されるように構成されており、電池ケース５２の前面の蓋部５５が前面パネル５４と略同一面となり、美観が損なわれないように構成されている。
【０００５】
なお、電池ケース５２には、例えば電池交換の際に、電池ケース５２を電池ケース取り付け台５３から引き出したときに、電池ケース５２が電池ケース取り付け台５３から抜け落ちてしまうことを防止するための抜け止め部５６（図１２(ｂ)）を備えている。なお、この抜け止め部５６は、電池ケース５２の底面奥側に、底面から下方に突出するように配設されており、電池ケース取り付け台５３の係合部５７（図１３(ｂ)）に係合して抜け止め機能が発揮されるように構成されている。
【０００６】
また、電池ケース取り付け台５３には、電池ケース５２の電池ケース取り付け台５３への収納の完了した状態で確実に保持されるようにするための抵抗付与手段５８が配設されている。なお、抵抗付与手段５８は、電池ケース５２の抜け止め部５６を両側から挟み込むことにより、電池ケース５２の動作に抵抗感を与える一対の突出片５９から形成されている。
【０００７】
しかしながら、上記従来のテーブルコンロにおける電池ケースの収納構造においては、
(１)抵抗付与手段５８において、電池ケース５２の底面の奥側に配設された抜け止め部５６を、電池ケース５２の挿入完了位置で、一対の突出片５９で挟み込むように構成されており、電池ケース取り付け台５３の長さを長くする必要がある、
(２) 電池ケース５２に配設された抜け止め部５６が、電池ケース５２の底面から下方に突出するように配設されており、電池ケース取り付け台５３に、この抜け止め部５６と係合して、電池ケース５２の抜け落ちを防止するための係合部５７を設けることが必要で、電池ケース取り付け台５３の、電池ケース５２の底面と対向する部分の厚みを厚くする必要がある
などの理由から電池ケース取り付け台５３の寸法が大きくなり、テーブルコンロの本体ケース５１を大型化させ、ひいては製品であるテーブルコンロ全体の大型化を招くという問題点がある。
【０００８】
また、このような電池ケースを収納する構造を備えた加熱調理器に関しては、上述の従来例と同様に、本体ケースの前面の操作パネルに電池ケース取り付け台を設け、この電池ケース取り付け台に、電池を収納した電池ケースを挿入して保持させるようにした加熱調理器（コンロ）などが提案されている（特許文献１の図３，図４，図５など参照）。
しかし、特許文献１の構成の場合も、電池ケース取り付け台の寸法が、ほぼ電池ケースと同等であり、電池ケースの収納構造の大型化を招くという問題点があるのが実情である。
【特許文献１】特開２００４−１２５３３５号公報
【発明の開示】
【発明が解決しようとする課題】
【０００９】
本願発明は、上記課題を解決するものであり、複雑な構造を必要としたり、部品点数の増大を招いたりすることなく、電池ケースを小さいスペースに収納することが可能な、電池ケースの収納構造を提供することを目的とする。
【課題を解決するための手段】
【００１０】
上記課題を解決するために、本願発明（請求項１）の電池ケースの収納構造は、
加熱調理器の本体ケースに、電池を保持する電池ケースを収納するための電池ケースの収納構造であって、
(ａ)前記本体ケースの前面側から、前記本体ケースに挿入される電池ケースを収容する、奥行き方向の寸法が、前記電池ケースの奥行き方向の寸法よりも短い電池ケース収納部を備え、かつ、
(ｂ)前記電池ケースが、電池を保持するための電池保持部と、前記電池ケース収納部の開口を覆う蓋部と、前記電池ケース収納部から抜け落ちることを防止するための抜止め部とを備えており、
前記電池ケースが前記電池ケース収納部に収納された状態で、前記電池ケース収納部の開口が前記蓋部により覆われ、かつ、前記電池ケースを前記電池ケース収納部から引き出したときに、前記抜け止め部により前記電池ケースが前記電池ケース収納部から抜け落ちないように構成されていること
を特徴としている。
【００１１】
また、請求項２の電池ケースの収納構造は、請求項１の発明の構成において、  前記電池ケースの抜け止め部を、前記電池ケースの内側に弾性変形させることにより、前記電池ケース収納部と前記抜け止め部の係合を解除して、前記電池ケースを前記電池ケース収納部から抜き出すことができるように構成されていることを特徴としている。
【００１２】
また、請求項３の電池ケースの収納構造は、請求項１または２の発明の構成において、
(ａ)前記電池ケース収納部が、前記電池ケースを前記電池ケース収納部に収納し、あるいは前記電池ケース収納部から引き出す際に、前記電池ケースを略水平に保つことができるように、前記電池ケースの姿勢を規定するケース案内保持部を備えているとともに、
(ｂ)前記電池ケース収納部と前記電池ケースのいずれか一方には、前記電池ケースの収納および引き出し方向に平行なレールが配設され、他方には前記レールと係合する係合溝が形成されおり、前記レールと前記係合溝が係合することにより、前記電池ケースが、前記レールに沿って往復動するように構成されていること
を特徴としている。
【００１３】
また、請求項４の電池ケースの収納構造は、請求項３の発明の構成において、前記電池ケースのほぼ全体が前記電池ケース収納部に収納されたときに、使用者がそのことを認識できるように、前記レールの外周面の、前記係合溝の内周面と対向する所定の領域、または、前記係合溝の内周面の、前記レールの外周面と対向する所定の領域に突出部を形成し、前記電池ケース収納部に前記電池ケースが押し込まれ、ほぼ全体が前記電池ケース収納部に収納されたときに、前記突出部が前記係合溝の内周面または前記レールの外周面に当接して、前記電池ケースの収納動作に抵抗が加わるように構成されていることを特徴としている。
【００１４】
また、請求項５の電池ケースの収納構造は、請求項４の発明の構成において、前記電池ケースの前記電池ケース収納部への収納が終了したときに、使用者がそのことを認識できるように、前記電池ケースの前記電池ケース収納部への収納が終了した状態において、前記突出部が対向する前記係合溝の内周面または前記レールの外周面に、前記突出部を逃がす凹部が形成されており、前記電池ケースの前記電池ケース収納部への収納が終了したときに、前記突出部が前記凹部に入り込み、前記電池ケースの収納動作の抵抗感が解除されるかまたは減少するように構成されていることを特徴としている。
【００１５】
また、請求項６の電池ケースの収納構造は、請求項４または５の発明の構成において、前記係合溝の側面に前記突出部が形成されており、前記突出部が形成された側面を構成する部材には、前記突出部が形成された側面に略平行に、前記突出部が形成された領域よりも長い、一対のスリット状貫通孔が形成されており、前記一対のスリット状貫通孔に挟まれた部分が、前記係合溝の側面を構成するとともに、該側面に前記突出部が形成されるブリッジ部となり、前記ブリッジ部が弾性変形することにより、前記電池ケースの収納動作に抵抗をもたらしつつ、前記電池ケースを円滑に移動させることができるように構成されていることを特徴としている。
【００１６】
また、請求項７の電池ケースの収納構造は、請求項１〜６のいずれかの発明の構成において、前記電池ケース収納部が、前記加熱調理器の本体ケースの前面パネルと一体に形成されていることを特徴としている。
【発明の効果】
【００１７】
本願発明（請求項１）の電池ケースの収納構造は、本体ケースの前面側から、本体ケースに挿入される電池ケースを収容する、奥行き方向の寸法が、前記電池ケースの奥行き方向の寸法よりも短い電池ケース収納部を備え、かつ、電池ケースが、電池保持部と、電池ケース収納部の開口を覆う蓋部と、電池ケース収納部からの抜け落ちを防止する抜止め部とを備えた構成とし、電池ケースが電池ケース収納部に収納された状態で、電池ケース収納部の開口が蓋部により覆われ、かつ、電池ケースを電池ケース収納部から引き出したときに、抜け止め部により電池ケースが電池ケース収納部から抜け落ちないように構成しているので、本体ケースの奥行き寸法を小さくすることが可能になるとともに、複雑な構造を必要としたり、部品点数を増やしたりすることなく、全体として、小型、省スペースの電池ケースの収納構造を提供することが可能になる。
【００１８】
また、請求項２の電池ケースの収納構造のように、請求項１の発明の構成において、電池ケースの抜け止め部を、電池ケースの内側に弾性変形させることにより、電池ケース収納部と抜け止め部の係合を解除して、電池ケースを前記電池ケース収納部から抜き出すことができるようにした場合、例えば、抜け止め部を電池ケースの外側に向かって弾性変形させる場合に必要になるような抜け止め部の変形スペースを確保することが不要になり、より製品の小型化を進めることが可能になり、本願発明をさらに実効あらしめることができる。
すなわち、抜け止め部の変形を許容するための、抜け止め部の逃げ構造を、加熱調理器の本体ケースに底部に設けることが不要になり、本体ケースの奥行き方向の寸法だけでなく、上下方向の寸法を縮小することが可能になり、さらなる小型化を進めることが可能になる。
【００１９】
また、請求項３の電池ケースの収納構造のように、請求項１または２の発明の構成において、(ａ)電池ケース収納部に、電池ケースを略水平を保つケース案内保持部を設け、(ｂ)電池ケース収納部と電池ケースのいずれか一方に、電池ケースの収納および引き出し方向に平行なレールを、他方には該レールと係合する係合溝を形成し、レールと係合溝を係合させることにより、電池ケースをレールに沿って往復動させるようにした場合、電池ケースを水平に保ちつつ、レールに沿って所定の方向に確実に移動させることが可能になり、例えば、電池ケースが、電池ケース収納部の側壁などと接触して、動作の円滑性を損なったりすることを防止することができる。
【００２０】
また、請求項４の電池ケースの収納構造のように、請求項３の発明の構成において、レールの外周面の、係合溝の内周面と対向する所定の領域、または、係合溝の内周面の、レールの外周面と対向する所定の領域に突出部を形成するようにした場合、電池ケース収納部に電池ケースが押し込まれ、ほぼ全体が電池ケース収納部に収納されたときに、突出部が係合溝の内周面またはレールの外周面に当接して、電池ケースの、レールと直交する方向の位置が確実に定まるとともに、電池ケースの収納動作に抵抗が加わり、使用者がそれを認識することにより、電池ケースのほぼ全体が電池ケース収納部に収納されたことを知ることが可能になる。
したがって、電池ケースを所定の方向に確実に動作させることが可能になるとともに、使用者に電池ケースの収納状態についての情報を与えることが可能になり、使用感の向上を図ることができる。
【００２１】
また、請求項５の電池ケースの収納構造のように、請求項４の発明の構成において、電池ケースの収納が終了した状態において、上述の突出部が対向する係合溝の内周面またはレールの外周面に、突出部を逃がす凹部を形成することにより、電池ケースの前記電池ケース収納部への収納が終了したときに、突出部が凹部に入り込み、電池ケースの収納動作の抵抗が解除されるかまたは減少するため、使用者がそれを認識することにより、電池ケースの収納が終了したことを確認することが可能になる。また、この状態では、突出部が凹部に入り込んでいるため、電池ケースを引き出す際には、いくらか大きな力を加えることが必要になるため、電池ケースが収納位置に確実に保持されることになり、電池ケースの収納の確実性、信頼性を向上させることが可能になり、本願発明をさらに実効あらしめることができる。
【００２２】
また、請求項６の電池ケースの収納構造のように、請求項４または５の発明の構成において、突出部が形成された係合孔の側面を構成する部材には、該突出部が形成された側面に略平行に、該突出部が形成された領域よりも長い、一対のスリット状貫通孔を形成し、一対のスリット状貫通孔に挟まれた部分が、係合溝の側面を構成するとともに、該側面に突出部が形成されるブリッジ部となるようにした場合、このブリッジ部が弾性変形することにより、電池ケースの収納動作に抵抗が加わった場合にも、電池ケースを動かすことができなくなるほど大きな抵抗ではなく、電池ケースを移動させることは可能であるが、収納動作の終了位置に近づいたことが認識できる程度の抵抗をもたらしつつ、電池ケースを円滑に移動させることが可能になり、動作の円滑性、収納の信頼性をさらに向上させることが可能になる。
【００２３】
また、請求項７の電池ケースの収納構造のように、請求項１〜６のいずれかの発明の構成において、電池ケース収納部を、加熱調理器の本体ケースの前面パネルと一体に形成することにより、製品の電池ケースの収納構造の小型化、部品点数の削減を図ることが可能になり、有意義である。
【発明を実施するための最良の形態】
【００２４】
以下に本願発明の実施例を示して、本願発明の特徴とするところをさらに詳しく説明する。
【実施例１】
【００２５】
この実施例１では、ビルトインタイプの加熱調理器における電池ケースの収納構造を例にとって説明する。
図１(ａ)は本願発明の一実施例（実施例１）にかかる電池ケースの収納構造が採用されているビルトインタイプの加熱調理器の全体構成を示す斜視図、(ｂ)はその要部拡大図、図２は本願発明の実施例１にかかる電池ケースの収納構造に用いられている本体ケースの前面パネルの構成を示す正面図、図３はその側面図、図４はこの実施例１の加熱調理器において用いられている電池ケースを示すであり、(ａ)は平面図、(ｂ)は側面図、(ｃ)は底面図である。
また、図５は前面パネルの電池ケース収納部に電池ケースを収納した状態を示す正面図、図６はその側面図である。
【００２６】
図１(ａ)、(ｂ)に示すように、この実施例１の加熱調理器Ａにおいては、電池ケース１（図４、図６など参照）が、加熱調理器Ａを構成する本体ケース２の前面パネル３に形成された開口８（図２）から奥側に向かって押し込まれ、電池ケース１の蓋部４が、本体ケース２の前面パネル３の開口８を塞いだ状態で保持されるように構成されている。なお、電池ケース１が完全に収納された状態で、その蓋部４が前面パネル３の他の部分と同一面となり、美観が保たれるように構成されている。また、蓋部４の下辺側には、電池ケース１を引き出す際に指をかけて容易に操作することができるように操作部（突起部）７が形成されている。
【００２７】
電池ケース１は図４(ａ)，(ｂ)，(ｃ)に示すように、本体ケース２の電池ケース収納部５に収納された状態で、本体ケース２の前面の電池ケース収納部５の入口を覆う蓋部４（手前側端面１ａ）と、底部１ｂと、両側壁部１ｃと、奥側端面１ｄとを備え、上面側が電池１４の出し入れを行うことができるように開口した構造を有する部材であり、加熱調理器Ａの前面側から、電池ケース収納部５に挿入した状態で保持されるように構成されており、上記蓋部４、底部１ｂ、両側壁部１ｃ、および奥側端面１ｄとにより規定される領域が、電池１４（例えば単一電池）を保持するための電池保持部１５となっている。なお、図４では、プラス端子、マイナス端子、電池ケース内配線などは省略しているが、従来例の図１２と同じ構造とすることが可能であり、また、配線の配設態様に関しても特別の制約はなく、通常のように両端子から器内に配線することが可能である。
【００２８】
この実施例１では、２個の電池１４が、同軸上に連続するような態様で電池ケース１に収納され、このように電池１４が収納された電池ケース１が、その軸方向が奥行き方向と平行になるように電池ケース収納部５に収納されることから、図１(ａ)における電池ケース収納部５の左側の領域が有効利用が可能なスペースとなっており、この実施例では、電池ケース収納部５の左側の領域が、いわゆるカンガルーポケット機構により、使用時には前・下側に回動して操作および表示が可能な操作・表示部３０（図１(ａ)、(ｂ)参照）として利用されている。
【００２９】
また、電池ケース１の底部１ｂの、中央より奥側の幅方向中央部には、電池ケース収納部５から電池ケース１が抜け落ちてしまうことを防止するための抜け止め部１６が配設されている。
この抜け止め部１６は、電池ケースの底部１ｂと一体に形成されており、一部が、底部１ｂの下面側に突出しており、その両側および手前側にスリット状の貫通溝（コ字状の溝）１６ａが形成されている。なお、抜け止め部１６は、電池ケース１を電池ケース収納部５に収納する際に、電池ケース１を押し込むだけで上方に弾性変形して、電池ケース１が電池ケース収納部５に円滑に収納されるように、下面には傾斜部１６ｂ（図４(ｂ)参照）が形成されている。
【００３０】
なお、この実施例１では、電池ケース１は、抜け止め部１６が電池ケース収納部５に当接するまで引き出した状態で、電池の交換（通常は一個ずつ電池を出し入れする）ができるように構成されており、使用者が、特に抜け止め部１６の動作を意識することはないように構成されている。
【００３１】
ただし、必要に応じて、電池ケース１を容易に外部に抜き出すことができるように、ドライバーなどの治具を用いて、抜け止め部１６を電池ケース１の内側（上側）に弾性変形させることにより、電池ケース収納部５と抜け止め部１６の係合を解除して、電池ケース１を電池ケース収納部５から抜き出すことができるように構成されている。
【００３２】
また、電池ケース１が収納される電池ケース収納部５は、加熱調理器Ａを構成する本体ケース２の前面パネル３（図２，図３参照）と一体に形成されており、図２においては、電池ケース収納部５は、前面パネル３の右下部分に形成されている。
【００３３】
この電池ケース収納部５は、電池ケース１を収納し（押し込み）、あるいは電池ケース１を引き出す際に、電池ケース１を略水平に保つことができるように、電池ケース１の姿勢を規定するケース案内保持部（案内構造部）６を備えている。具体的には、ケース案内保持部６は、電池ケース１の底部１ｂを保持する底部５ａ、電池ケース１の両側壁部１ｃを保持する側部５ｂ、および、該側部５ｂに形成され、電池ケース１の両側壁部１ｃの上端部と係合する段部５ｃとから形成されている。
そして、この電池ケース収納部５は、奥行き方向（軸方向）の寸法Ｌ１が、電池ケース１の奥行き方向（軸方向）の寸法Ｌ２よりも短い、四角筒状に構成されている。
【００３４】
そして、電池ケース収納部５の底部５ａの内周面には、奥行き方向に、電池ケース１をガイドして、所定の方向に動作させるためのレール１１（特に図７参照）が配設されている。なお、レール１１の途中には側面に凹部１２が形成されている。なお、凹部１２の近傍には、射出成形による製造上の理由から形成された貫通孔１３が存在している。
【００３５】
そして、電池ケース１の底部１ｂには、電池ケース収納部５の底部５ａの内周面に形成されたレール１１と係合する係合溝２１が形成されおり、レール１１と係合溝２１が係合して、電池ケース１が、レール１１に直交する方向の位置が規定された状態で、レール１１に沿って往復動するように構成されている。なお、係合溝２１は、電池ケース１の底部１ｂの抜け止め部１６に干渉されないように、電池ケース１の底部１ｂの幅方向中央部ではなく、幅方向の一端側（図４(ｃ)では上側）に寄せて配設されている。
また、レール１１も、係合溝２１に対応するように、電池ケース収納部５の一端側（図７では右側）に寄せて配設されている。
【００３６】
また、電池ケース１の底部１ｂには、電池ケース１が、上記レール１１に沿って電池ケース収納部５に押し込まれ、ほぼ全体が電池ケース収納部５に収納されたときに、使用者がその状態を認識できるように、係合溝２１の内周面（側面）の、上記レール１１の外周面（側面）と対向する所定の領域に突出部２２を形成している。これにより、電池ケース収納部５に電池ケース１が押し込まれ、ほぼ全体が電池ケース収納部５に収納されたときに、突出部２２がレール１１の外周面（側面）に当接して、電池ケース１の収納動作に抵抗感をもたらすことができるように構成されている。
【００３７】
さらに、この実施例１では、電池ケース１の電池ケース収納部５への収納が終了したときに、使用者がその状態を認識できるように、電池ケース１の電池ケース収納部５への収納が終了した状態において、突出部２２が当接することになるレール１１の外周面に、突出部２２を逃がす凹部１２が形成されており、電池ケース１の電池ケース収納部５への収納が終了したときに、突出部２２が凹部１２に入り込み、電池ケース１の収納動作の抵抗感が解除されるかまたは減少するように構成されている。
【００３８】
さらに、この実施例１では、電池ケース１を円滑に移動させることができるように、係合溝２１の突出部２２が形成された側面を構成する部材（すなわち、電池ケース１の底部１ｂ）に、突出部２２が形成された側面に略平行に、突出部２２が形成された領域よりも長い、一対のスリット状貫通孔２３，２４が形成されている。そして、一対のスリット状貫通孔２３，２４に挟まれた部分が、係合溝２１の側面を構成するとともに、該側面に突出部２２が形成されるブリッジ部２５となるように構成されている。
【００３９】
このように構成することにより、突出部２２がレール１１の側面と当接し、電池ケース１の収納動作に抵抗が加わった場合に、ブリッジ部２５が弾性変形することにより、電池ケース１を動かすことができなくなるほど大きな抵抗ではなく、電池ケース１を移動させることは可能であるが、収納動作の終了位置に近づいたことが認識できる程度の抵抗をもたらしつつ、電池ケース１を円滑に移動させることが可能になり、動作の円滑性、収納の信頼性をさらに向上させることが可能になる。
【００４０】
次に、上述のような電池ケースの収納構造を備えた加熱調理器において、電池  ケース１を収納する場合および取り出す場合の動作について説明する。
(１)まず、電池ケース１に電池１４を収容した後、電池ケース１を電池ケース収納部５に徐々に押し込んで行き、電池ケース１が収納終了位置の手前側の所定の位置に達すると、図８に示すように、電池ケース１のブリッジ部２５の側面（すなわち係合溝２１の側面）に形成された突出部２２が、電池ケース収納部５のレール１１の手前側端部１１ａと当接し、電池ケース１の押し込み操作に抵抗感が加わる。
【００４１】
(２)さらに電池ケース１を押し込むと、図９に示すように、ブリッジ部２５が湾曲し、突出部２２がレール１１の側面に接触した状態で、電池ケース１が電池ケース収納部５の奥側に移動する。このとき、ブリッジ部２５が弾性変形した状態で、突出部２２がレール１１の側面に接触するため、適度な抵抗が加わった状態で、電池ケース１が円滑に移動するとともに、電池ケース１の、左右方向の位置が所定の位置に定まった状態で、かつ、その両側壁部１ｃが、電池ケース収納部５の側部５ｂにガイドされる（接触する）ことなく、円滑に奥行き方向に移動する。
【００４２】
(３)そして、電池ケース１の電池ケース収納部５への収納終了位置、すなわち、電池ケース１の蓋部４により電池ケース収納部５の開口８（図２）が閉じられる位置に電池ケース１が達すると、図１０に示すように、ブリッジ部２５の側面に形成された突出部２２が、電池ケース収納部５のレール１１の側面に形成された凹部１２に入り込み、電池ケース１の収納動作の抵抗が解除されるかまたは減少する。その結果、使用者は、電池ケース１の収納操作が完了したことを認識することが可能になり、確信を持って操作を終了することができるようになる。
【００４３】
また、この状態では、ブリッジ部２５の側面に形成された突出部２２が、電池ケース収納部５のレール１１の側面に形成された凹部１２に入り込んでいるため、引き出す際にいくらか大きな力を加えることが必要になることから、電池ケース１が収納位置に確実に保持される。
ただし、電池ケース１を引き出す際には、少し大きな力を加えることにより、特に困難なく、電池ケースを引き出すことができる。
【００４４】
なお、この実施例１では、ブリッジ部２５を形成し、このブリッジ部２５に突出部２２を形成するようにしているが、ばねと押圧治具を組み合わせて用いたりすることによっても、同様の作用効果が得られるような構成とすることも可能である。
なお、ブリッジ部２５の突出部２２の位置と、レール１１の凹部１２の位置関係を調整することにより、電池ケース１が電池ケース収納部５への収納終了位置に収納された状態で、突出部２２の一部が、凹部１２に入り込み、電池ケース１の収納動作の抵抗が減少はするが、まだ、抵抗が相当に残存した状態とすることにより、事実上「ガタ（遊び）」のない状態で、電池ケース１を収納終了位置に確実に保持することが可能になる。
【００４５】
また、上記実施例１では、電池ケース１の底部１ｂに係合溝２１を形成し、係合溝２１の側面に突出部２２を形成するとともに、電池ケース収納部５の底部５ａに、レール１１を形成し、レール１１の側面の所定の位置に凹部１２を形成するようにしているが、電池ケース１にレールを形成し、レールの側面の所定の位置に凹部を形成するとともに、電池ケース収納部５に係合溝を形成し、係合溝の側面に突出部を形成するように構成することも可能である。
また、レール、ブリッジ部、突出部の具体的な形状や構造に関しても、種々の変形を加えることが可能である。
【００４６】
なお、この実施例１では、単一電池を２個収納するようにした電池ケースの収納構造を例にとって説明したが、電池の種類や個数に特別の制約はない。
【００４７】
また、この実施例１では、ビルトインタイプの加熱調理器の電池ケースの収納構造を例にとって説明したが、場合によってはテーブルコンロにも本願発明を適用することが可能である。
【００４８】
本願発明は、さらにその他の点においても上記実施例に限定されるものではなく、電池ケースおよび電池ケース収納部の構成や具体的な形状、抜け止め部、電池ケースを略水平に保つケース案内保持部（案内構造部）の構造、本体ケースや前面パネルの具体的な構成などに関し、発明の範囲内において、種々の応用、変形を加えることができる。
【産業上の利用可能性】
【００４９】
本願発明によれば、複雑な構造を必要とすることなく、電池ケースを小さいスペースに収納することが可能で、電池ケースの収納構造の小型化を図ることが可能になる。また、電池ケースの収納構造の小型化により、加熱調理器の限られた大きさの中で、操作部など他のスペースを拡大することも可能である。
したがって、本願発明は、電池ケースを収納する構造を有する加熱調理器に広く適用することが可能である。
【図面の簡単な説明】
【００５０】
【図１】(ａ)は、本願発明の一実施例（実施例１）にかかる電池ケースの収納構造が採用されているビルトインタイプの加熱調理器の全体構成を示す斜視図、(ｂ)はその要部拡大図である。
【図２】本願発明の実施例１にかかる電池ケースの収納構造に用いられている本体ケースの前面パネルの構成を示す正面図である。
【図３】本願発明の実施例１にかかる電池ケースの収納構造に用いられている本体ケースの前面パネルの構成を示す側面図である。
【図４】本願発明の一実施例（実施例１）にかかる加熱調理器において用いられている電池ケースを示すであり、(ａ)は平面図、(ｂ)は側面図、(ｃ)は底面図である。
【図５】本願発明の一実施例（実施例１）にかかる前面パネルの電池ケース収納部に電池ケースを収納した状態を示す正面図である。
【図６】本願発明の一実施例（実施例１）にかかる前面パネルの電池ケース収納部に電池ケースを収納した状態を示す側面図である。
【図７】本願発明の一実施例にかかる電池ケースの収納構造の要部を示す図であって、電池ケース収納部に配設されたレールの構造および配設態様を示す図である。
【図８】本願発明の実施例１にかかる電池ケースの収納構造において電池ケースを動作させる場合の動作状態を説明する図である。
【図９】本願発明の実施例１にかかる電池ケースの収納構造において電池ケースを動作させる場合の動作状態を説明する図である。
【図１０】本願発明の実施例１にかかる電池ケースの収納構造において電池ケースを動作させる場合の動作状態を説明する図である。
【図１１】従来のテーブルガスコンロを示す図である。
【図１２】(ａ)は電池ケースを示す平面図、(ｂ)はその側面断面図である。
【図１３】(ａ)は電池ケース取り付け台を示す平面図、(ｂ)はその側面断面図である。
【符号の説明】
【００５１】
１        電池ケース
１ａ      手前側端面
１ｂ      電池ケースの底部
１ｃ      電池ケースの両側壁部
１ｄ      電池ケースの奥側端面
２        本体ケース
３        前面パネル
４        蓋部
５        電池ケース収納部
５ａ      電池ケース収納部の底部
５ｂ      電池ケース収納部の側部
５ｃ      段部
６        ケース案内保持部（案内構造部）
７        操作部（突起部）
８        開口
１１      レール
１１ａ    手前側端部
１２      凹部
１３      貫通孔
１４      電池
１５      電池保持部
１６      抜け止め部
１６ａ    スリット状の貫通溝（コ字状の溝）
１６ｂ    傾斜部
２１      係合溝
２２      突出部
２３，２４    スリット状貫通孔
２５      ブリッジ部
３０      操作・表示部
Ａ        加熱調理器
Ｌ１      電池ケース収納部の奥行き方向（軸方向）の寸法
Ｌ２      電池ケースの奥行き方向（軸方向）の寸法
【図１】
2008016185.tif 000003
【図２】
2008016185.tif 000004
【図３】
2008016185.tif 000005
【図４】
2008016185.tif 000006
【図５】
2008016185.tif 000007
【図６】
2008016185.tif 000008
【図７】
2008016185.tif 000009
【図８】
2008016185.tif 000010
【図９】
2008016185.tif 000011
【図１０】
2008016185.tif 000012
【図１１】
2008016185.tif 000013
【図１２】
2008016185.tif 000014
【図１３】
2008016185.tif 000015